(57)【特許請求の範囲】
【請求項１】
地中連続壁と後打ち壁で本体壁を構築する本体壁の構築方法において、
地中連続壁の先行エレメントを間隔をおいて形成し、
地中連続壁の後行エレメントを先行エレメント間に形成し、
先行エレメントと後行エレメントの一側面に沿って後打ち壁を形成する際、先行エレメントと隣接する後打ち壁で柱を構成するように、
及び、後行エレメントと隣接する後打ち壁で柱を構成するように、
後打ち壁を形成し、
地中連続壁と後打ち壁からなる、柱構造が相互に隣接した構造体で本体壁を構築することを特徴とする、
本体壁の構築方法。
【請求項２】
地中連続壁と後打ち壁で本体壁を構築する本体壁の構築方法において、
地中連続壁の先行エレメントを形成する際、
帯鉄筋のジョイント部を後打ち壁側の一側面に出して間隔をおいて先行エレメントを形成し、
地中連続壁の後行エレメントを形成する際、
帯鉄筋のジョイント部を後打ち壁側の一側面に出して先行エレメント間に後行エレメントを形成し、
先行エレメントと後行エレメントの一側面に沿って後打ち壁を形成する際、先行エレメントに隣接する後打ち壁の帯鉄筋と先行エレメントの帯鉄筋のジョイント部を結合して柱を構成するように、
及び、後行エレメントに隣接する後打ち壁の帯鉄筋と後行エレメントの帯鉄筋のジョイント部を結合して柱を構成するように後打ち壁を形成し、
地中連続壁と後打ち壁からなる、柱構造が相互に隣接した構造体で本体壁を構築することを特徴とする、
本体壁の構築方法。
【請求項３】
請求項２に記載の本体壁の構築方法において、
柱間の後打ち壁に横鉄筋を配筋することを特徴とする、
本体壁の構築方法。
【発明の詳細な説明】
【０００１】
【発明の属する技術分野】
本発明は、地中連続壁を利用した本体壁に関するものである。
【０００２】
【従来の技術】
従来、地中連続壁ｂと後打ち壁ｃで図７のような本体壁ａを構築する場合、先ず、地中連続壁ｂを構築するに当たって、先行エレメント用の鉄筋篭ｇに横継鉄筋ｈ、仕切り鉄板ｌ、キャンバスシートｍを装着し、掘削溝内に建て込み、コンクリートを打設し、先行エレメントｄを形成する。次に、後行エレメント用の鉄筋篭ｇに横継鉄筋ｈを装着し、先行エレメントｄの横継鉄筋ｇと重ね合うように掘削溝内に建て込み、コンクリートを打設し、後行エレメントｅを形成する。更に、地中連続壁ｂの一側面に後打ち壁ｃを形成し、全体で本体壁ａとする。肋筋ｉを重ね継手部ｆを除く地中連続壁ｂ及び後打ち壁ｃに配筋し、ジョイント金具ｊで連結し、本体壁ａの外側に突出させる。
【０００３】
このような従来の本体壁ａでは、以下のような問題点を有する。
＜イ＞肋筋ｉを重ね継手部ｆに配筋できない問題を有する。
＜ロ＞仕切鉄板ｌやキャンバスシートｍを必要とし、経済性に問題を有する。
【０００４】
【発明が解決しようとする課題】
本発明は、地中連続壁を利用して構造的に安定した本体壁を得ることにある。
【０００５】
【課題を解決するための手段】
本発明は、地中連続壁と後打ち壁で本体壁を構築する本体壁の構築方法において、地中連続壁の先行エレメントを間隔をおいて形成し、地中連続壁の後行エレメントを先行エレメント間に形成し、先行エレメントと後行エレメントの一側面に沿って後打ち壁を形成する際、先行エレメントと隣接する後打ち壁で柱を構成するように、及び、後行エレメントと隣接する後打ち壁で柱を構成するように、後打ち壁を形成し、地中連続壁と後打ち壁からなる、柱構造が相互に隣接した構造体で本体壁を構築することを特徴とする本体壁の構築方法、または地中連続壁と後打ち壁で本体壁を構築する本体壁の構築方法において、地中連続壁の先行エレメントを形成する際、帯鉄筋のジョイント部を後打ち壁側の一側面に出して間隔をおいて先行エレメントを形成し、地中連続壁の後行エレメントを形成する際、帯鉄筋のジョイント部を後打ち壁側の一側面に出して先行エレメント間に後行エレメントを形成し、先行エレメントと後行エレメントの一側面に沿って後打ち壁を形成する際、先行エレメントに隣接する後打ち壁の帯鉄筋と先行エレメントの帯鉄筋のジョイント部を結合して柱を構成するように、及び、後行エレメントに隣接する後打ち壁の帯鉄筋と後行エレメントの帯鉄筋のジョイント部を結合して柱を構成するように後打ち壁を形成し、地中連続壁と後打ち壁からなる、柱構造が相互に隣接した構造体で本体壁を構築することを特徴とする本体壁の構築方法にある。
【０００６】
【発明の実施の態様】
以下、図面を用いて本発明の実施の態様を説明する。
【０００７】
＜イ＞本体壁
本体壁１０は、柱壁構造体であり、例えば、図１〜図２のように、地中連続壁２０の先行エレメント２１の主筋４１と後打ち壁３０の主筋４１を囲むように帯鉄筋４２を配筋して柱構造１１とし、また、後行エレメント２２の主筋４１と後打ち壁３０の主筋４１を囲むように帯鉄筋４２を配筋して柱構造１１とし、隣接した柱構造１１でもって構築される。
【０００８】
このように、本体壁１０は、柱と柱の間にスパンがゼロの壁が存在するとした柱壁構造体である。スパンがゼロの壁であるので、後打ち壁３０には横方向筋を原則的には必要としないが、コンクリート標準仕様書などに示されている最小鉄筋量、又は、ひび割れ防止又せん断補強に必要な鉄筋量を配筋する。
【０００９】
幅が広い柱構造１１(図１の右部分の後行エレメントのように)がある場合、柱の内部に更に帯鉄筋４２を配置することで、柱の強度を高めることができる。
【００１０】
帯鉄筋４２は、地中連続壁２０から突出した部分と後打ち壁３０に埋設される部分とをジョイント金具４４で連結する。同様に、肋筋４３も、地中連続壁２０から突出した部分と後打ち壁３０に埋設される部分とをジョイント金具４４で連結し、更に、本体壁１０の側面へ突出させる。
【００１１】
＜ロ＞地中連続壁の先行エレメントの形成
図３のように、地中連続壁２０の先行エレメント用の溝１２を間隔をおいて掘削する。この溝内に鉄筋４０を組み立てる。鉄筋４０は、主筋４１の周りに帯鉄筋４２が配置され、帯鉄筋４２の両端は、後打ち壁３０の帯鉄筋４２と後で連結できるように配置される。また、肋筋４３も、後打ち壁３０の肋筋４３と後で連結できるように配置される。鉄筋４０を組み立てた溝１２にコンクリートを打設して先行エレメント２１を形成する。
【００１２】
＜ハ＞地中連続壁の後行エレメントの形成
図４のように、先行エレメント２１の間に後行エレメント用の溝１２を掘削する。後行エレメントを形成する際、露出した先行エレメント２１の端部のコンクリートをカッティングする場合、又はカッティングを要しない場合がある。カッティングは、例えば１００ｍｍ位いをはつる。溝１２に鉄筋４０を組み立てる。鉄筋４０は先行エレメント用と同様に主筋４１の周りに帯鉄筋４２が配置され、帯鉄筋４２の両端は、後打ち壁３０の帯鉄筋４２と後で連結できるように配置される。また、肋筋４３も、後打ち壁３０の肋筋４３と後で連結できるように配置される。鉄筋４０を組み立てた溝１２にコンクリートを打設して後行エレメント２２を形成し、先行エレメント２１と共に地中連続壁２０を構築する。
【００１３】
＜ニ＞後打ち壁の形成
構造物の本体壁１０を構築するために、地中連続壁２０の一側面側の地盤を掘削し、地中連続壁２０の一側面側に後打ち壁３０を形成する。
【００１４】
図５のように、後打ち壁用の型枠３１を地中連続壁２０と間隙をおいて地中連続壁２０に沿って配置する。この間隙に後打ち壁用の鉄筋４０を組み立てる。この鉄筋４０は、先行エレメント２１や後行エレメント２２の帯鉄筋４２と対を成した帯鉄筋４２を備えている。また、鉄筋４０は、肋筋４３及び壁内縦側筋４７も備えている。また、必要に応じて壁内横側筋４５と壁外横側筋４６を地中連続壁２０に沿って配置する。
【００１５】
地中連続壁２０の側面から帯鉄筋４２の端部や肋筋４３の端部を露出させ、後打ち壁用の帯鉄筋４２や肋筋４３とジョイント金具４４などで連結し、型枠内にコンクリートを打設して後打ち壁３０を形成する。
【００１６】
＜ホ＞本体壁の完成
本体壁１０は、柱壁構造であり、図６のように、地中連続壁２０と後打ち壁３０に亘って、主筋４１を包囲した帯鉄筋４２で形成された柱構造１１が相互に隣接した構造体になっている。後打ち壁３０を形成後は、型枠３１を取り外し、肋筋４３を後打ち壁３０の壁面から露出させ、構造物を構築する。
【００１７】
【発明の効果】
本発明は、次のような効果を得ることができる。
＜イ＞従来の地中連続壁のように、横継ぎを必要としないので、仕切鉄板や横継ぎ鉄筋、また仕切鉄板やジャンクション継ぎ手などを必要とせず、経済的な施工が可能になる。
＜ロ＞地中連続壁に横継ぎ部分がないので、肋筋を地中連続壁全面に亘り配筋することができる。これにより、構造的に無駄がなくなり、設計段階で施工性の良い経済的な壁厚や配筋が選択できる。
＜ハ＞地中連続壁を柱と考えるので、後打ち壁への配筋の集中が避けられる。これにより、後打ち壁厚が、地中連続壁厚に比べて小さい場合においても、後打ち壁の配筋が容易となる。
【図面の簡単な説明】
【図１】地中連続壁と後打ち壁からなる本体壁の斜視図
【図２】本体壁の平面断面図
【図３】地中連続壁の先行エレメントの形成図
【図４】地中連続壁の後行エレメントの形成図
【図５】後打ち壁の形成図
【図６】構築された本体壁の平面図
【図７】従来の地中連続壁と後打ち壁からなる本体壁の平面図
【符号の説明】
１０・・本体壁
１１・・柱構造
１２・・溝
２０・・地中連続壁
２１・・先行エレメント
２２・・後行エレメント
３０・・後打ち壁
３１・・型枠
４０・・鉄筋
４１・・主筋
４２・・帯鉄筋
４３・・肋筋
４４・・ジョイント金具
４５・・壁内横鉄筋
４６・・壁外横鉄筋
４７・・壁内縦鉄筋
【図１】
0003810889.tif 000002
【図２】
0003810889.tif 000003
【図３】
0003810889.tif 000004
【図４】
0003810889.tif 000005
【図５】
0003810889.tif 000006
【図６】
0003810889.tif 000007
【図７】
0003810889.tif 000008